(57)【要約】【課題】  オーディオモニタ機能を有する磁気回転式ストレージシステムおよび光学回転式ストレージシステムを提供する。【解決手段】  回転式データストレージデバイス用の制御システムは、ドライブ用プリント配線基板（ＰＣＢ）を備える。ドライブモジュールは、ドライブ用ＰＣＢに配設されており、データの処理、データの格納および回転式データストレージデバイスの動作の制御のうち少なくとも１つを実行する。オーディオモニタモジュールは、ドライブモジュールと通信し、回転式データストレージデバイスが動作中に発生させるノイズに応じて決まるオーディオ信号を分析する。【選択図】図３Ａ
2009545097.tif 000002
【特許請求の範囲】
【請求項１】
回転式データストレージデバイス用の制御システムであって、
ドライブ用プリント配線基板（ＰＣＢ）と、
前記ドライブ用ＰＣＢに配設されているドライブモジュールであって、データの処理、データの格納および前記回転式データストレージデバイスの動作の制御のうち少なくとも１つを実行するドライブモジュールと、
前記ドライブモジュールと通信するオーディオモニタモジュールであって、前記回転式データストレージデバイスが動作中に発生させるノイズに応じて決まるオーディオ信号を分析するオーディオモニタモジュールと
を備える制御システム。
【請求項２】
前記ドライブモジュールは、磁気ストレージ制御モジュールおよび光学ストレージ制御モジュールのうち１つを有する
請求項１に記載の制御システム。
【請求項３】
前記ドライブモジュールは、読出／書込チャネルモジュールを有する
請求項１に記載の制御システム。
【請求項４】
前記ドライブモジュールは、プロセッサを有する
請求項１に記載の制御システム。
【請求項５】
前記ドライブモジュールは、スピンドル／ボイスコイルモータドライブモジュールおよびスピンドル／フィードモータモジュールのうち１つを有する
請求項１に記載の制御システム。
【請求項６】
請求項１に記載の制御システムと、
前記回転式データストレージデバイスと
を備えるデータストレージデバイス。
【請求項７】
前記オーディオ信号を生成するマイクロフォン
をさらに備える、請求項６に記載のデータストレージデバイス。
【請求項８】
前記回転式データストレージデバイスは、第１の構成要素を有し、
前記オーディオモニタモジュールは、前記オーディオ信号に基づいて、前記第１の構成要素の動作パラメータを選択的に調整する
請求項６に記載のデータストレージデバイス。
【請求項９】
前記第１の構成要素は、回転式ストレージ媒体の回転および前記回転式ストレージ媒体からのデータ読出しのうち１つを実行する
請求項８に記載のデータストレージデバイス。
【請求項１０】
前記回転式データストレージデバイスは、磁気ストレージデバイスおよび光学ストレージデバイスのうち１つを有する
請求項６に記載のデータストレージデバイス。
【請求項１１】
前記オーディオモニタモジュールは、前記オーディオ信号に基づいて、前記第１の構成要素の故障を選択的に診断する
請求項８に記載のデータストレージデバイス。
【請求項１２】
前記オーディオモニタモジュールは、前記オーディオ信号に基づいて、前記第１の構成要素の経年劣化を選択的に推定する
請求項８に記載のデータストレージデバイス。
【請求項１３】
前記オーディオモニタモジュールは、前記オーディオ信号に基づいて、前記第１の構成要素の今後の構成要素の故障を選択的に予測する
請求項８に記載のデータストレージデバイス。
【請求項１４】
前記オーディオモニタモジュールは、前記オーディオ信号に基づいて、前記データストレージデバイスの製品品質を選択的に推定する
請求項８に記載のデータストレージデバイス。
【請求項１５】
前記オーディオモニタモジュールは、前記オーディオ信号と格納されている故障プロファイルとを選択的に相関させて、前記第１の構成要素の故障を予測する
請求項８に記載のデータストレージデバイス。
【請求項１６】
前記オーディオ信号をデジタルオーディオ信号に変換するアナログ／デジタルコンバータ
をさらに備える、請求項６に記載のデータストレージデバイス。
【請求項１７】
前記回転式データストレージデバイスはハードディスクドライブを有し、前記ハードディスクドライブは、
ハードディスクドライブアセンブリ（ＨＤＤＡ）と、
ハードディスクドライブ用プリント配線基板（ＨＤ  ＰＣＢ）と
を含み、
前記マイクロフォンは、前記ＨＤＤＡおよび前記ＨＤ  ＰＣＢのうち一方に配設されている
請求項７に記載のデータストレージデバイス。
【請求項１８】
前記ハードディスクドライブは、
ハードディスクドライブモジュールと、
プロセッサと、
スピンドル／ボイスコイルモータ（ＶＣＭ）ドライバモジュールと、
読出／書込チャネルモジュールと
を含む
請求項１７に記載のデータストレージデバイス。
【請求項１９】
前記オーディオモニタモジュールは、システムオンチップにおいて、前記ハードディスクドライブモジュール、前記プロセッサ、前記スピンドル／ＶＣＭドライバモジュール、および前記読出／書込チャネルモジュールのうち少なくとも１つと集積化されている
請求項１８に記載のデータストレージデバイス。
【請求項２０】
前記回転式データストレージデバイスは、デジタルバーサティルディスク（ＤＶＤ）を有し、前記ＤＶＤは、
デジタルバーサティルディスクアセンブリ（ＤＶＤＡ）と、
デジタルバーサティルディスク用プリント配線基板（ＤＶＤ  ＰＣＢ）と
を含み、
前記マイクロフォンは、前記ＤＶＤＡおよび前記ＤＶＤ  ＰＣＢのうち一方に配設されている
請求項７に記載のデータストレージデバイス。
【請求項２１】
前記デジタルバーサティルディスクは、
デジタルバーサティルディスク制御モジュールと、
プロセッサと、
スピンドル／フィードモータ（ＦＭ）ドライバモジュールと、
読出／書込チャネルモジュールと
を含む
請求項２０に記載のデータストレージデバイス。
【請求項２２】
前記オーディオモニタモジュールは、システムオンチップにおいて、前記デジタルバーサティルディスク制御モジュール、前記プロセッサ、前記スピンドル／ＦＭドライバモジュール、および前記読出／書込チャネルモジュールのうち少なくとも１つと集積化されている
請求項２１に記載のデータストレージデバイス。
【請求項２３】
前記オーディオモニタモジュールは、前記オーディオ信号に対してサブバンド分析を実施する
請求項１に記載のデータストレージデバイス。
【請求項２４】
前記第１の構成要素は、スピンドルモータおよびボイスコイルモータ（ＶＣＭ）のうち少なくとも１つを含む
請求項８に記載のデータストレージデバイス。
【請求項２５】
前記第１の構成要素は、スピンドルモータおよびフィードモータのうち少なくとも１つを含む
請求項８に記載のデータストレージデバイス。
【請求項２６】
前記ＨＤＤＡおよび前記ＨＤ  ＰＣＢの構成要素を接続する柔軟性コネクタ
をさらに備え、
前記マイクロフォンは前記ＨＤＤＡに配設され、
前記オーディオモニタモジュールおよび前記マイクロフォンと通信する導体が、前記柔軟性コネクタに対応付けられている
請求項１７に記載のデータストレージデバイス。
【請求項２７】
前記ＤＶＤＡおよび前記ＤＶＤ  ＰＣＢの構成要素を接続する柔軟性コネクタ
をさらに備え、
前記マイクロフォンは前記ＤＶＤＡに配設され、
前記オーディオモニタモジュールおよび前記マイクロフォンと通信する導体が、前記柔軟性コネクタに対応付けられている
請求項２０に記載のデータストレージデバイス。
【請求項２８】
前記ハードディスクドライブは、電力管理インターフェースモジュールを含み、
前記オーディオモニタモジュールは、システムオンチップにおいて、前記電力管理インターフェースモジュールと集積化されている
請求項１０に記載のデータストレージデバイス。
【請求項２９】
前記デジタルバーサティルディスクは、電力管理インターフェースモジュールを含み、
前記オーディオモニタモジュールは、システムオンチップにおいて、前記電力管理インターフェースモジュールと集積化されている
請求項１０に記載のデータストレージデバイス。
【請求項３０】
前記ドライブモジュールは、集積回路において、前記オーディオモニタモジュールと集積化されている
請求項１に記載のデータストレージデバイス。
【請求項３１】
回転式データストレージデバイスを制御する集積回路（ＩＣ）であって、
前記集積回路によって実装されているドライブモジュールであって、データの処理、データの格納および前記回転式データストレージデバイスの動作の制御のうち少なくとも１つを実行するドライブモジュールと、
前記集積回路によって実装されているオーディオモニタモジュールであって、前記ドライブモジュールと通信し、前記回転式データストレージデバイスが動作中に発生させるノイズに応じて決まるオーディオ信号を分析するオーディオモニタモジュールと
を備えるＩＣ。
【請求項３２】
前記ドライブモジュールは、磁気ストレージ制御モジュールおよび光学ストレージ制御モジュールのうち１つを有する
請求項３１に記載のＩＣ。
【請求項３３】
前記ドライブモジュールは、読出／書込チャネルモジュールを有する
請求項３１に記載のＩＣ。
【請求項３４】
前記ドライブモジュールは、プロセッサを有する
請求項３１に記載のＩＣ。
【請求項３５】
前記ドライブモジュールは、スピンドル／ボイスコイルモータドライブモジュールおよびスピンドル／フィードモータモジュールのうち１つを有する
請求項３１に記載のＩＣ。
【請求項３６】
請求項３１に記載のＩＣと、
前記回転式データストレージデバイスと
を備えるデータストレージデバイス。
【請求項３７】
前記オーディオ信号を生成するマイクロフォン
をさらに備える、請求項３６に記載のデータストレージデバイス。
【請求項３８】
前記回転式データストレージデバイスは、第１の構成要素を有し、
前記オーディオモニタモジュールは、前記オーディオ信号に基づいて、前記第１の構成要素の動作パラメータを選択的に調整する
請求項３６に記載のデータストレージデバイス。
【請求項３９】
前記第１の構成要素は、前記回転式ストレージ媒体の回転および前記回転式ストレージ媒体からのデータ読出しのうち１つを実行する
請求項３８に記載のデータストレージデバイス。
【請求項４０】
前記回転式データストレージデバイスは、磁気ストレージデバイスおよび光学ストレージデバイスのうち１つを有する
請求項３６に記載のデータストレージデバイス。
【請求項４１】
前記オーディオモニタモジュールは、前記オーディオ信号に基づいて、前記第１の構成要素の故障を選択的に診断する
請求項３８に記載のデータストレージデバイス。
【請求項４２】
前記オーディオモニタモジュールは、前記オーディオ信号に基づいて、前記第１の構成要素の経年劣化を選択的に推定する
請求項３８に記載のデータストレージデバイス。
【請求項４３】
前記オーディオモニタモジュールは、前記オーディオ信号に基づいて、前記第１の構成要素の今後の構成要素の故障を選択的に予測する
請求項３８に記載のデータストレージデバイス。
【請求項４４】
前記オーディオモニタモジュールは、前記オーディオ信号に基づいて、前記データストレージデバイスの製品品質を選択的に推定する
請求項３８に記載のデータストレージデバイス。
【請求項４５】
前記オーディオモニタモジュールは、前記オーディオ信号と格納されている故障プロファイルとを選択的に相関させて、前記第１の構成要素の故障を予測する
請求項３８に記載のデータストレージデバイス。
【請求項４６】
前記オーディオ信号をデジタルオーディオ信号に変換するアナログ／デジタルコンバータ
をさらに備える、請求項３６に記載のデータストレージデバイス。
【請求項４７】
前記回転式データストレージデバイスはハードディスクドライブを有し、前記ハードディスクドライブは、
ハードディスクドライブアセンブリ（ＨＤＤＡ）と、
ハードディスクドライブ用プリント配線基板（ＨＤ  ＰＣＢ）と
を含み、
前記マイクロフォンは、前記ＨＤＤＡおよび前記ＨＤ  ＰＣＢのうち一方に配設されている
請求項３７に記載のデータストレージデバイス。
【請求項４８】
前記ハードディスクドライブは、
ハードディスクドライブ制御モジュールと、
プロセッサと、
スピンドル／ボイスコイルモータ（ＶＣＭ）ドライバモジュールと、
読出／書込チャネルモジュールと
を含む
請求項４７に記載のデータストレージデバイス。
【請求項４９】
前記オーディオモニタモジュールは、システムオンチップにおいて、前記ハードディスクドライブ制御モジュール、前記プロセッサ、前記スピンドル／ＶＣＭドライバモジュール、および前記読出／書込チャネルモジュールのうち少なくとも１つと集積化されている
請求項４８に記載のデータストレージデバイス。
【請求項５０】
前記回転式データストレージデバイスは、デジタルバーサティルディスク（ＤＶＤ）を有し、前記ＤＶＤは、
デジタルバーサティルディスクアセンブリ（ＤＶＤＡ）と、
デジタルバーサティルディスク用プリント配線基板（ＤＶＤ  ＰＣＢ）と
を含み、
前記マイクロフォンは、前記ＤＶＤＡおよび前記ＤＶＤ  ＰＣＢのうち一方に配設されている
請求項３７に記載のデータストレージデバイス。
【請求項５１】
前記デジタルバーサティルディスクは、
デジタルバーサティルディスク制御モジュールと、
プロセッサと、
スピンドル／フィードモータ（ＦＭ）ドライバモジュールと、
読出／書込チャネルモジュールと
を含む
請求項５０に記載のデータストレージデバイス。
【請求項５２】
前記オーディオモニタモジュールは、システムオンチップにおいて、前記デジタルバーサティルディスク制御モジュール、前記プロセッサ、前記スピンドル／ＦＭドライバモジュール、および前記読出／書込チャネルモジュールのうち少なくとも１つと集積化されている
請求項５１に記載のデータストレージデバイス。
【請求項５３】
前記オーディオモニタモジュールは、前記オーディオ信号に対してサブバンド分析を実施する
請求項３１に記載のデータストレージデバイス。
【請求項５４】
前記第１の構成要素は、スピンドルモータおよびボイスコイルモータ（ＶＣＭ）のうち少なくとも１つを含む
請求項３８に記載のデータストレージデバイス。
【請求項５５】
前記第１の構成要素は、スピンドルモータおよびフィードモータのうち少なくとも１つを含む
請求項３８に記載のデータストレージデバイス。
【請求項５６】
前記ＨＤＤＡおよび前記ＨＤ  ＰＣＢの構成要素を接続する柔軟性コネクタ
をさらに備え、
前記マイクロフォンは前記ＨＤＤＡに配設され、
前記オーディオモニタモジュールおよび前記マイクロフォンと通信する導体が、前記柔軟性コネクタに対応付けられている
請求項４７に記載のデータストレージデバイス。
【請求項５７】
前記ＤＶＤＡおよび前記ＤＶＤ  ＰＣＢの構成要素を接続する柔軟性コネクタ
をさらに備え、
前記マイクロフォンは前記ＤＶＤＡに配設され、
前記オーディオモニタモジュールおよび前記マイクロフォンと通信する導体が、前記柔軟性コネクタに対応付けられている
請求項５０に記載のデータストレージデバイス。
【請求項５８】
前記ハードディスクドライブは、電力管理インターフェースモジュールを含み、
前記オーディオモニタモジュールは、システムオンチップにおいて、前記電力管理インターフェースモジュールと集積化されている
請求項４０に記載のデータストレージデバイス。
【請求項５９】
前記デジタルバーサティルディスクは、電力管理インターフェースモジュールを含み、
前記オーディオモニタモジュールは、システムオンチップにおいて、前記電力管理インターフェースモジュールと集積化されている
請求項４０に記載のデータストレージデバイス。
【請求項６０】
前記ドライブモジュールは、集積回路において、前記オーディオモニタモジュールと集積化されている
請求項３１に記載のデータストレージデバイス。
【請求項６１】
集積回路と、
前記集積回路を冷却するファンと、
前記ファンが動作中に生じさせるノイズに応じて決まるオーディオ信号を分析するオーディオモニタモジュールと
を備えるデバイス。
【請求項６２】
前記オーディオモニタモジュールは、前記集積回路によって実装されており、前記集積回路に集積化されている
請求項６１に記載のデバイス。
【請求項６３】
前記オーディオモニタモジュールと通信し、前記オーディオ信号を生成するマイクロフォン
をさらに備える、請求項６１に記載のデバイス。
【請求項６４】
前記集積回路および前記ファンとの間で熱を伝導するヒートシンク
をさらに備える、請求項６１に記載のデバイス。
【請求項６５】
前記オーディオモニタモジュールは、前記オーディオ信号に基づいて、前記ファンの動作パラメータを選択的に調整する
請求項６１に記載のデバイス。
【請求項６６】
前記オーディオモニタモジュールは、前記オーディオ信号に基づいて、前記ファンの故障を選択的に診断する
請求項６１に記載のデバイス。
【請求項６７】
前記オーディオモニタモジュールは、前記オーディオ信号に基づいて、前記ファンの経年劣化を選択的に推定する
請求項６１に記載のデバイス。
【請求項６８】
前記オーディオモニタモジュールは、前記オーディオ信号に基づいて、前記ファンの今後の故障を選択的に予測する
請求項６１に記載のデバイス。
【請求項６９】
前記オーディオモニタモジュールは、前記オーディオ信号に基づいて、前記ファンの製品品質を選択的に推定する
請求項６１に記載のデバイス。
【請求項７０】
前記オーディオモニタモジュールは、前記オーディオ信号と格納されている故障プロファイルとを選択的に相関させて、前記ファンの故障を予測する
請求項６１に記載のデバイス。
【請求項７１】
シャーシと、
前記シャーシに配設されているプリント配線基板およびマザーボードのうち少なくとも１つと
をさらに備え、
前記ファンは前記シャーシに配設されており、
前記集積回路は、前記プリント配線基板および前記マザーボードのうち前記少なくとも１つに配設されている
請求項６１に記載のデバイス。
【請求項７２】
前記集積回路は、中央演算処理装置（ＣＰＵ）、グラフィックスプロセッシングユニット（ＧＰＵ）、および特定用途向け集積回路（ＡＳＩＣ）のうち１つを有する
請求項６１に記載のデバイス。
【請求項７３】
シャーシと、
前記シャーシに配設されているプリント配線基板およびマザーボードのうち少なくとも１つと
をさらに備え、
前記マイクロフォンは、前記シャーシ、ならびに、前記プリント配線基板および前記マザーボードのうち前記少なくとも１つのうち少なくとも１つに配設されている
請求項６３に記載のデバイス。
【発明の詳細な説明】
【関連出願】
【０００１】
本願は、米国特許出願第１１／５９１，３２６号（出願日：２００６年１１月１日）、第１１／６５２，２０３号（出願日：２００７年１月１１日）、および第１１／６５２，２５８号（出願日：２００７年１月１１日）、ならびに米国仮特許出願第６０／８２８，５３２号（出願日：２００６年１０月６日）および第６０／８２０，１８９号（出願日：２００６年７月２４日）による恩恵を主張する。上記出願の開示内容はすべて、参照により本願に組み込まれる。
【技術分野】
【０００２】
本開示は、ハードディスクドライブ（ＨＤＤ）システムおよびデジタルヴァーサティルディスク（ＤＶＤ）システムに関する。本開示は特に、ＨＤＤシステムおよびＤＶＤシステムのオーディオモニタに関する。
【背景技術】
【０００３】
本明細書では、本開示が成された状況を概して示すことを目的として、背景技術を説明する。本願において名前が挙げられている発明者による研究は、この「背景技術」部分で説明されている範囲内において、説明されていなければ出願時において先行技術としての基準を満たすものでない「背景技術」部分の内容と同様に、本開示内容に対する先行技術として、明示または黙示を問わず、認められない。
【０００４】
図１を参照しつつ説明すると、ＨＤＤシステム１０はＨＤＤプリント配線基板（ＰＣＢ）１４を備える。バッファ１８は、ＨＤＤシステム１０の制御に関連する、読出データ、書込データおよび／または揮発性制御データを格納する。バッファ１８には通常、レイテンシが低い揮発性メモリを用いる。例えば、シンクロナス・ダイナミック・ランダム・アクセス・メモリ（ＳＤＲＡＭ）またはその他の種類の低レイテンシメモリを利用するとしてよい。不揮発性メモリ１９は、例えばフラッシュメモリであって、不揮発性制御コードなどの重要データを格納するべく設けられるとしてもよい。
【０００５】
プロセッサ２２は、ＨＤＤ  ＰＣＢ１４に配設されており、ＨＤＤシステム１０の動作に関連するデータ処理および／または制御処理を実行する。ハードディスク制御モジュール（ＨＤＣ）２６は、入出力インターフェース２４と通信すると共に、スピンドル／ボイスコイルモータ（ＶＣＭ）ドライバまたはモジュール３０、および／または、読出／書込チャネルモジュール３４と通信する。ＨＤＣ２６は、スピンドル／ＶＣＭドライバ３０、読出／書込チャネルモジュール３４およびプロセッサ２２の制御と、インターフェース２４を介したホスト３５との間でのデータ入出力とを統括する。
【０００６】
書込動作においては、読出／書込チャネルモジュール３４は読出／書込デバイス５９に書き込まれるデータを符号化する。読出／書込チャネルモジュール３４は、信頼性を高めるべく書込信号を処理し、例えば、エラー訂正符号化（ＥＣＣ）、ランレングスリミテッド符号化（ＲＬＬ）等を利用するとしてもよい。読出動作においては、読出／書込チャネルモジュール３４は、読出／書込デバイス５９のアナログ読出信号出力をデジタル読出信号へと変換する。そして変換後のデジタル読出信号を、公知の技術に基づいて検出および復号化することによって、ＨＤＤに書き込まれたデータを取り出す。
【０００７】
ハードディスクドライブアセンブリ（ＨＤＤＡ）５０は、磁場を格納する磁気コーティングを含むハードドライブプラッタ５２を１以上有する。プラッタ５２は、参照番号５４によって概略的に図示されているスピンドルモータによって回転させられる。スピンドルモータ５４は通常、読出／書込動作において速度を制御しつつ、ハードドライブプラッタ５２を回転させる。１以上の読出／書込アーム５８が、プラッタ５２と相対的に移動して、ハードドライブプラッタ５２との間でデータの読み書きを行う。スピンドル／ＶＣＭドライバ３０は、プラッタ５２を回転させるスピンドルモータ５４を制御する。スピンドル／ＶＣＭドライバ３０はまた、例えばボイスコイルアクチュエータ、ステッパモータまたはそれ以外の任意の適切なアクチュエータを用いて読出／書込アーム５８を位置付けるための制御信号を生成する。
【０００８】
読出／書込デバイス５９は読出／書込アーム５８の末端付近に位置する。読出／書込デバイス５９は、磁場を生成するインダクタのような書込素子を有する。読出／書込デバイス５９はまた、プラッタ５２上の磁場を感知する読出素子（例えば、磁場抵抗（ＭＲ）素子）を有する。ＨＤＤＡ５０は、アナログの読出／書込信号を増幅するプリアンプ回路６０を有する。データを読み出す場合、プリアンプ回路６０は読出素子からの低レベル信号を増幅して、増幅した信号を読出／書込チャネルモジュール３４に出力する。データを書き込む場合には、読出／書込デバイス５９の書込素子を流れる書込電流を生成する。書込電流は、正または負の極性を有する磁場を生成するべく切り替えられる。正または負の極性は、ハードドライブプラッタ５２によって格納されて、データを表す。
【０００９】
図２を参照しつつ説明すると、デジタルバーサティルディスク（ＤＶＤ）システム１１０は、ＤＶＤ  ＰＣＢ１１４を備える。ＤＶＤ  ＰＣＢ１１４は、読出データ、書込データおよび／またはＤＶＤシステム１１０の制御に関連する揮発性の制御コードを格納するバッファ１１８を有する。バッファ１１８には、ＳＤＲＡＭまたはその他の種類の低レイテンシメモリといった揮発性メモリを用いるとしてもよい。不揮発性メモリ１１９は、例えばフラッシュメモリで、ＤＶＤ書込フォーマットに関連するデータおよび／またはその他の不揮発性制御コードのような重要データを格納するべく用いられるとしてもよい。
【００１０】
プロセッサ１２２は、ＤＶＤ  ＰＣＢ１１４に配設されており、ＤＶＤシステム１１０の動作に関連するデータ処理および／または制御処理を実行する。プロセッサ１２２はまた、必要に応じて、コピー防止の復号化および／または圧縮／解凍を実行する。ＤＶＤ制御モジュール１２６は、入出力インターフェース１２４と通信すると共に、スピンドル／フィードモータ（ＦＭ）ドライバ１３０、および／または、読出／書込チャネルモジュール１３４と通信する。ＤＶＤ制御モジュール１２６は、スピンドル／ＦＭドライバ１３０、読出／書込チャネルモジュール１３４およびプロセッサ１２２の制御と、インターフェース１２４を介したデータ入出力とを統括する。
【００１１】
書込動作においては、読出／書込チャネルモジュール１３４は、光学読出／書込（ＯＲＷ）デバイスまたは光学リードオンリー（ＯＲ）デバイス１５９によってＤＶＤプラッタに書き込まれるデータを符号化する。読出／書込チャネルモジュール１３４は、信頼性を高めるべく信号を処理し、例えば、ＥＣＣ、ＲＬＬ等を利用するとしてもよい。読出動作においては、読出／書込チャネルモジュール１３４は、ＯＲＷデバイスまたはＯＲデバイス１５９のアナログ出力をデジタル信号へと変換する。そして変換後の信号を、公知の技術に基づいて検出および復号化することによって、ＤＶＤに書き込まれたデータを取り出す。
【００１２】
ＤＶＤアセンブリ（ＤＶＤＡ）１５０は、データを光学的に格納するＤＶＤプラッタ１５２を有する。プラッタ１５２は、参照番号１５４として概略的に図示されているスピンドルモータによって回転させられる。スピンドルモータ１５４は、読出／書込動作において速度を制御および／または変化させつつＤＶＤプラッタ１５２を回転させる。ＯＲＷデバイスまたはＯＲデバイス１５９は、ＤＶＤプラッタ１５２に対してデータの読み書きを実行するべく、ＤＶＤプラッタ１５２と相対的に移動する。ＯＲＷデバイスまたはＯＲデバイス１５９は通常、レーザと光学センサとを含む。
【００１３】
ＤＶＤ読出／書込システムおよびＤＶＤ読み出し専用システムにおいて、読出動作では、ランドとピットとを含むＤＶＤのトラックに対してレーザが当てられる。光学センサはランドおよびピットが生じさせる反射を感知する。ＤＶＤ読出／書込（Ｒ／Ｗ）アプリケーションによると、書込動作においてＤＶＤプラッタのダイ層を加熱するためにもレーザが利用され得る。ダイがある温度まで加熱されると、ダイは透明になり１つのバイナリデジタル値を表す。ダイが別の温度まで加熱されると、ダイは不透明になり別のバイナリデジタル値を表す。
【００１４】
スピンドル／ＦＭドライバ１３０は、ＤＶＤプラッタ１５２を制御可能に回転させるスピンドルモータ１５４を制御する。スピンドル／ＦＭドライバ１３０はまた、例えばボイスコイルアクチュエータ、ステッパモータまたはそれ以外の任意の適切なアクチュエータを用いてフィードモータ１５８を位置付けるための制御信号を生成する。フィードモータ１５８は通常、ＤＶＤプラッタ１５２と相対的にＯＲＷデバイスまたはＯＲデバイス１５９を径方向に移動させる。レーザドライバ１６１は読出／書込チャネルモジュール１３４の出力に基づいてレーザ駆動信号を生成する。ＤＶＤＡ１５０は、アナログの読出信号を増幅するプリアンプ回路１６０を有する。データを読み出す場合、プリアンプ回路１６０はＯＲＷデバイスまたはＯＲデバイスからの低レベル信号を増幅して、増幅した信号を読出／書込チャネルモジュール１３４に出力する。
【００１５】
ＤＶＤシステム１１０はさらに、ＭＰＥＧフォーマットのいずれか等のビデオを符号化および／または復号化するコーデックモジュール１４０を備える。オーディオデジタルシグナルプロセッサおよび／またはモジュール１４２および／またはビデオデジタルシグナルプロセッサおよび／またはモジュール１４４はそれぞれ、オーディオ信号および／またはビデオ信号を処理する。
【発明の概要】
【課題を解決するための手段】
【００１６】
回転式データストレージデバイス用の制御システムは、ドライブ用プリント配線基板（ＰＣＢ）を備える。ドライブモジュールは、ドライブ用ＰＣＢに配設されており、データの処理、データの格納および回転式データストレージデバイスの動作の制御のうち少なくとも１つを実行する。オーディオモニタモジュールは、ドライブモジュールと通信し、回転式データストレージデバイスが動作中に発生させるノイズに応じて決まるオーディオ信号を分析する。
【００１７】
他の特徴によると、ドライブモジュールは、磁気ストレージ制御モジュールおよび光学ストレージ制御モジュールのうち１つを有する。ドライブモジュールは、読出／書込チャネルモジュールを有する。ドライブモジュールは、プロセッサを有する。ドライブモジュールは、スピンドル／ボイスコイルモータドライブモジュールおよびスピンドル／フィードモータモジュールのうち１つを有する。データストレージデバイスは、上記の制御システムと、回転式データストレージデバイスとを備える。マイクロフォンは、オーディオ信号を生成する。回転式データストレージデバイスは、第１の構成要素を有する。オーディオモニタモジュールは、オーディオ信号に基づいて、第１の構成要素の動作パラメータを選択的に調整する。第１の構成要素は、回転式ストレージ媒体の回転および回転式ストレージ媒体からのデータ読出しのうち１つを実行する。回転式データストレージデバイスは、磁気ストレージデバイスおよび光学ストレージデバイスのうち１つを有する。オーディオモニタモジュールは、オーディオ信号に基づいて、第１の構成要素の故障を選択的に診断する。
【００１８】
他の特徴によると、オーディオモニタモジュールは、オーディオ信号に基づいて、第１の構成要素の経年劣化を選択的に推定する。オーディオモニタモジュールは、オーディオ信号に基づいて、第１の構成要素の今後の構成要素の故障を選択的に予測する。オーディオモニタモジュールは、オーディオ信号に基づいて、データストレージデバイスの製品品質を選択的に推定する。オーディオモニタモジュールは、オーディオ信号と格納されている故障プロファイルとを選択的に相関させて、第１の構成要素の故障を予測する。アナログ／デジタルコンバータは、オーディオ信号をデジタルオーディオ信号に変換する。回転式データストレージデバイスはハードディスクドライブを有し、ハードディスクドライブは、ハードディスクドライブアセンブリ（ＨＤＤＡ）と、ハードディスクドライブ用プリント配線基板（ＨＤ  ＰＣＢ）とを含み、マイクロフォンは、ＨＤＤＡおよびＨＤ  ＰＣＢのうち一方に配設されている。ハードディスクドライブは、ハードディスクドライブモジュールと、プロセッサと、スピンドル／ボイスコイルモータ（ＶＣＭ）ドライバモジュールと、読出／書込チャネルモジュールとを含む。
【００１９】
他の特徴によると、オーディオモニタモジュールは、システムオンチップにおいて、ハードディスクドライブモジュール、プロセッサ、スピンドル／ＶＣＭドライバモジュール、および読出／書込チャネルモジュールのうち少なくとも１つと集積化されている。回転式データストレージデバイスは、デジタルバーサティルディスク（ＤＶＤ）を有し、ＤＶＤは、デジタルバーサティルディスクアセンブリ（ＤＶＤＡ）と、デジタルバーサティルディスク用プリント配線基板（ＤＶＤ  ＰＣＢ）とを含み、マイクロフォンは、ＤＶＤＡおよびＤＶＤ  ＰＣＢのうち一方に配設されている。デジタルバーサティルディスクは、デジタルバーサティルディスク制御モジュールと、プロセッサと、スピンドル／フィードモータ（ＦＭ）ドライバモジュールと、読出／書込チャネルモジュールとを含む。オーディオモニタモジュールは、システムオンチップにおいて、デジタルバーサティルディスク制御モジュール、プロセッサ、スピンドル／ＦＭドライバモジュール、および読出／書込チャネルモジュールのうち少なくとも１つと集積化されている。オーディオモニタモジュールは、オーディオ信号に対してサブバンド分析を実施する。第１の構成要素は、スピンドルモータおよびボイスコイルモータ（ＶＣＭ）のうち少なくとも１つを含む。第１の構成要素は、スピンドルモータおよびフィードモータのうち少なくとも１つを含む。
【００２０】
他の特徴によると、柔軟性コネクタは、ＨＤＤＡおよびＨＤ  ＰＣＢの構成要素を接続する。マイクロフォンはＨＤＤＡに配設される。オーディオモニタモジュールおよびマイクロフォンと通信する導体が、柔軟性コネクタに対応付けられている。柔軟性コネクタは、ＤＶＤＡおよびＤＶＤ  ＰＣＢの構成要素を接続する。マイクロフォンはＤＶＤＡに配設され、オーディオモニタモジュールおよびマイクロフォンと通信する導体が、柔軟性コネクタに対応付けられている。ハードディスクドライブは、電力管理インターフェースモジュールを含み、オーディオモニタモジュールは、システムオンチップにおいて、電力管理インターフェースモジュールと集積化されている。デジタルバーサティルディスクは、電力管理インターフェースモジュールを含み、オーディオモニタモジュールは、システムオンチップにおいて、電力管理インターフェースモジュールと集積化されている。ドライブモジュールは、集積回路において、オーディオモニタモジュールと集積化されている。
【００２１】
回転式データストレージデバイスを動作させる方法であって、ドライブ用プリント配線基板（ＰＣＢ）を提供することと、ドライブモジュールをドライブ用ＰＣＢに配設することと、ドライブモジュールを用いて、データの処理、データの格納および回転式データストレージデバイスの動作の制御のうち少なくとも１つを実行することと、回転式データストレージデバイスが動作中に発生させるノイズに応じて決まるオーディオ信号を分析することとを含む。
【００２２】
他の特徴によると、ドライブモジュールは、磁気ストレージ制御モジュール、光学ストレージ制御モジュール、読出／書込チャネルモジュール、プロセッサ、スピンドル／ボイスコイルモータドライブモジュールおよびスピンドル／フィードモータモジュールのうち１つを有する。当該方法はさらに、入力動作パラメータに基づいて回転式データストレージデバイスの第１の構成要素の動作を調整することと、オーディオ信号に基づいて第１の構成要素の入力動作パラメータを選択的に調整することとを含む。回転式データストレージデバイスは、磁気ストレージデバイスおよび光学ストレージデバイスのうち１つを有する。当該方法はさらに、オーディオモニタモジュールは、オーディオ信号に基づいて、第１の構成要素の故障を選択的に診断することを含む。
【００２３】
他の特徴によると、当該方法は、オーディオ信号に基づいて、第１の構成要素の経年劣化を選択的に推定することを含む。当該方法はさらに、オーディオ信号に基づいて、第１の構成要素の今後の構成要素の故障を選択的に予測することを含む。当該方法はさらに、オーディオ信号に基づいて、データストレージデバイスの製品品質を選択的に推定することを含む。当該方法はさらに、オーディオ信号と格納されている故障プロファイルとを選択的に相関させて、第１の構成要素の故障を予測することを含む。当該方法はさらに、オーディオ信号に対してサブバンド分析を実施する。第１の構成要素は、スピンドルモータおよびボイスコイルモータ（ＶＣＭ）のうち少なくとも１つを含む。第１の構成要素は、スピンドルモータおよびフィードモータのうち少なくとも１つを含む。
【００２４】
回転式データストレージデバイス用の制御システムは、ドライブ用プリント配線基板（ＰＣＢ）と、ドライブ用ＰＣＢに配設されているドライブ制御手段であって、データの処理、データの格納および回転式データストレージデバイスの動作の制御のうち少なくとも１つを実行するドライブ制御手段と、ドライブ制御手段と通信するオーディオモニタ手段であって、回転式データストレージデバイスが動作中に発生させるノイズに応じて決まるオーディオ信号を分析するオーディオモニタ手段とを備える。
【００２５】
他の特徴によると、ドライブ制御手段は、磁気ストレージデバイスを制御する磁気ストレージ制御手段および光学ストレージデバイスを制御する光学ストレージ制御手段のうち１つを有する。ドライブ制御手段は、読出／書込データを処理する読出／書込チャネル手段を有する。ドライブ制御手段は、データを処理する処理手段を有する。ドライブ制御手段は、スピンドル／ボイスコイルモータを駆動するスピンドル／ボイスコイルモータドライブ手段およびスピンドル／フィードモータを駆動するスピンドル／フィードモータドライブ手段のうち１つを有する。データストレージデバイスは、上記の制御システムと、回転式データストレージデバイスとを備える。オーディオ手段は、オーディオ信号を生成する。回転式データストレージデバイスは、第１の構成要素を有し、オーディオモニタ手段は、オーディオ信号に基づいて、第１の構成要素の動作パラメータを選択的に調整する。第１の構成要素は、回転式ストレージ媒体の回転および回転式ストレージ媒体からのデータ読出しのうち１つを実行する。回転式データストレージデバイスは、磁気ストレージデバイスおよび光学ストレージデバイスのうち１つを有する。オーディオモニタ手段は、オーディオ信号に基づいて、第１の構成要素の故障を選択的に診断する。オーディオモニタ手段は、オーディオ信号に基づいて、第１の構成要素の経年劣化を選択的に推定する。オーディオモニタ手段は、オーディオ信号に基づいて、第１の構成要素の今後の構成要素の故障を選択的に予測する。オーディオモニタ手段は、オーディオ信号に基づいて、データストレージデバイスの製品品質を選択的に推定する。オーディオモニタ手段は、オーディオ信号と格納されている故障プロファイルとを選択的に相関させて、第１の構成要素の故障を予測する。アナログ／デジタル変換手段は、オーディオ信号をデジタルオーディオ信号に変換する。
【００２６】
他の特徴によると、回転式データストレージデバイスはハードディスクドライブを有し、ハードディスクドライブは、ハードディスクドライブアセンブリ（ＨＤＤＡ）と、ハードディスクドライブ用プリント配線基板（ＨＤ  ＰＣＢ）とを含み、オーディオ手段は、ＨＤＤＡおよびＨＤ  ＰＣＢのうち一方に配設されている。ハードディスクドライブは、制御を行うハードディスクドライブ制御手段と、処理を行う処理手段と、駆動を行うスピンドル／ボイスコイルモータ（ＶＣＭ）ドライバ手段と、読出／書込データを処理する読出／書込チャネル手段とを含む。
【００２７】
他の特徴によると、オーディオモニタ手段は、システムオンチップにおいて、ハードディスクドライブ制御手段、処理手段、スピンドル／ＶＣＭドライバ手段、および読出／書込チャネル手段のうち少なくとも１つと集積化されている。回転式データストレージデバイスは、デジタルバーサティルディスク（ＤＶＤ）を有し、ＤＶＤは、デジタルバーサティルディスクアセンブリ（ＤＶＤＡ）と、デジタルバーサティルディスク用プリント配線基板（ＤＶＤ  ＰＣＢ）とを含み、オーディオ手段は、ＤＶＤＡおよびＤＶＤ  ＰＣＢのうち一方に配設されている。デジタルバーサティルディスクは、制御を行うデジタルバーサティルディスク制御手段と、処理を行う処理手段と、駆動を行うスピンドル／フィードモータ（ＦＭ）ドライバ手段と、読出／書込データを処理する読出／書込チャネル手段とを含む。
【００２８】
他の特徴によると、オーディオモニタ手段は、システムオンチップにおいて、デジタルバーサティルディスク制御手段、処理手段、スピンドル／ＦＭドライバ手段、および読出／書込チャネル手段のうち少なくとも１つと集積化されている。オーディオモニタ手段は、オーディオ信号に対してサブバンド分析を実施する。第１の構成要素は、スピンドルモータおよびボイスコイルモータ（ＶＣＭ）のうち少なくとも１つを含む。第１の構成要素は、スピンドルモータおよびフィードモータのうち少なくとも１つを含む。柔軟性接続手段は、ＨＤＤＡおよびＨＤ  ＰＣＢの構成要素を接続し、オーディオ手段はＨＤＤＡに配設され、オーディオモニタ手段およびオーディオ手段と通信する伝導手段が、柔軟性接続手段に対応付けられている。柔軟性接続手段は、ＤＶＤＡおよびＤＶＤ  ＰＣＢの構成要素を接続し、オーディオ手段はＤＶＤＡに配設され、オーディオモニタ手段およびオーディオ手段と通信する伝導手段が、柔軟性接続手段に対応付けられている。ハードディスクドライブは、電力インターフェースを提供する電力管理インターフェース手段を含み、オーディオモニタ手段は、システムオンチップにおいて、電力管理インターフェース手段と集積化されている。デジタルバーサティルディスクは、電力インターフェースを提供する電力管理インターフェース手段を含み、オーディオモニタ手段は、システムオンチップにおいて、電力管理インターフェース手段と集積化されている。ドライブ制御手段は、集積回路において、オーディオモニタ手段と集積化されている。
【００２９】
回転式データストレージデバイスを制御する集積回路は、集積回路によって実装されているドライブモジュールであって、データの処理、データの格納および回転式データストレージデバイスの動作の制御のうち少なくとも１つを実行するドライブモジュールと、集積回路によって実装されているオーディオモニタモジュールであって、ドライブモジュールと通信し、回転式データストレージデバイスが動作中に発生させるノイズに応じて決まるオーディオ信号を分析するオーディオモニタモジュールとを備える。
【００３０】
ドライブモジュールは、磁気ストレージ制御モジュールおよび光学ストレージ制御モジュールのうち１つを有する。ドライブモジュールは、読出／書込チャネルモジュールを有する。ドライブモジュールは、プロセッサを有する。ドライブモジュールは、スピンドル／ボイスコイルモータドライブモジュールおよびスピンドル／フィードモータモジュールのうち１つを有する。データストレージデバイスは、上記のＩＣと、回転式データストレージデバイスとを備える。マイクロフォンは、オーディオ信号を生成する。回転式データストレージデバイスは、第１の構成要素を有し、オーディオモニタモジュールは、オーディオ信号に基づいて、第１の構成要素の動作パラメータを選択的に調整する。第１の構成要素は、回転式ストレージ媒体の回転および回転式ストレージ媒体からのデータ読出しのうち１つを実行する。回転式データストレージデバイスは、磁気ストレージデバイスおよび光学ストレージデバイスのうち１つを有する。オーディオモニタモジュールは、オーディオ信号に基づいて、第１の構成要素の故障を選択的に診断する。オーディオモニタモジュールは、オーディオ信号に基づいて、第１の構成要素の経年劣化を選択的に推定する。オーディオモニタモジュールは、オーディオ信号に基づいて、第１の構成要素の今後の構成要素の故障を選択的に予測する。オーディオモニタモジュールは、オーディオ信号に基づいて、データストレージデバイスの製品品質を選択的に推定する
。オーディオモニタモジュールは、オーディオ信号と格納されている故障プロファイルとを選択的に相関させて、第１の構成要素の故障を予測する。アナログ／デジタルコンバータは、オーディオ信号をデジタルオーディオ信号に変換する。回転式データストレージデバイスはハードディスクドライブを有し、ハードディスクドライブは、ハードディスクドライブアセンブリ（ＨＤＤＡ）と、ハードディスクドライブ用プリント配線基板（ＨＤ  ＰＣＢ）とを含み、マイクロフォンは、ＨＤＤＡおよびＨＤ  ＰＣＢのうち一方に配設されている。ハードディスクドライブは、ハードディスクドライブ制御モジュールと、プロセッサと、スピンドル／ボイスコイルモータ（ＶＣＭ）ドライバモジュールと、読出／書込チャネルモジュールとを含む。
【００３１】
他の特徴によると、オーディオモニタモジュールは、システムオンチップにおいて、ハードディスクドライブ制御モジュール、プロセッサ、スピンドル／ＶＣＭドライバモジュール、および読出／書込チャネルモジュールのうち少なくとも１つと集積化されている。回転式データストレージデバイスは、デジタルバーサティルディスク（ＤＶＤ）を有し、ＤＶＤは、デジタルバーサティルディスクアセンブリ（ＤＶＤＡ）と、デジタルバーサティルディスク用プリント配線基板（ＤＶＤ  ＰＣＢ）とを含み、マイクロフォンは、ＤＶＤＡおよびＤＶＤ  ＰＣＢのうち一方に配設されている。デジタルバーサティルディスクは、デジタルバーサティルディスク制御モジュールと、プロセッサと、スピンドル／フィードモータ（ＦＭ）ドライバモジュールと、読出／書込チャネルモジュールとを含む。オーディオモニタモジュールは、システムオンチップにおいて、デジタルバーサティルディスク制御モジュール、プロセッサ、スピンドル／ＦＭドライバモジュール、および読出／書込チャネルモジュールのうち少なくとも１つと集積化されている。オーディオモニタモジュールは、オーディオ信号に対してサブバンド分析を実施する。第１の構成要素は、スピンドルモータおよびボイスコイルモータ（ＶＣＭ）のうち少なくとも１つを含む。第１の構成要素は、スピンドルモータおよびフィードモータのうち少なくとも１つを含む。ＨＤＤＡおよびＨＤ  ＰＣＢの構成要素を接続する柔軟性コネクタをさらに備え、マイクロフォンはＨＤＤＡに配設され、オーディオモニタモジュールおよびマイクロフォンと通信する導体が、柔軟性コネクタに対応付けられている。ＤＶＤＡおよびＤＶＤ  ＰＣＢの構成要素を接続する柔軟性コネクタをさらに備え、マイクロフォンはＤＶＤＡに配設され、オーディオモニタモジュールおよびマイクロフォンと通信する導体が、柔軟性コネクタに対応付けられている。
【００３２】
他の特徴によると、ハードディスクドライブは、電力管理インターフェースモジュールを含み、オーディオモニタモジュールは、システムオンチップにおいて、電力管理インターフェースモジュールと集積化されている。デジタルバーサティルディスクは、電力管理インターフェースモジュールを含み、オーディオモニタモジュールは、システムオンチップにおいて、電力管理インターフェースモジュールと集積化されている。ドライブモジュールは、集積回路において、オーディオモニタモジュールと集積化されている。
【００３３】
回転式データストレージデバイスを制御する方法であって、集積回路によって回転式データストレージデバイスのドライブモジュールを実装することと、ドライブモジュールを用いてデータの処理、データの格納および回転式データストレージデバイスの動作の制御のうち少なくとも１つを実行することと、集積回路によって実装されており、ドライブモジュールと通信して、回転式データストレージデバイスが動作中に発生させるノイズに応じて決まるオーディオ信号を分析するオーディオモニタモジュールを利用することとを含む。
【００３４】
他の特徴によると、ドライブモジュールは、磁気ストレージ制御モジュールおよび光学ストレージ制御モジュールのうち１つを有する。ドライブモジュールは、読出／書込チャネルモジュールを有する。ドライブモジュールは、プロセッサを有する。ドライブモジュールは、スピンドル／ボイスコイルモータドライブモジュールおよびスピンドル／フィードモータモジュールのうち１つを有する。当該方法は、オーディオ信号を生成するマイクロフォンを利用することを含む。回転式データストレージデバイスは、第１の構成要素を有する。当該方法はさらに、オーディオ信号に基づいて、第１の構成要素の動作パラメータを選択的に調整することを含む。第１の構成要素は、回転式ストレージ媒体の回転および回転式ストレージ媒体からのデータ読出しのうち１つを実行する。回転式データストレージデバイスは、磁気ストレージデバイスおよび光学ストレージデバイスのうち１つを有する。
【００３５】
他の特徴によると、当該方法は、オーディオ信号に基づいて、第１の構成要素の故障を選択的に診断することを含む。当該方法は、オーディオ信号に基づいて、第１の構成要素の経年劣化を選択的に推定することを含む。当該方法は、オーディオ信号に基づいて、第１の構成要素の今後の構成要素の故障を選択的に予測することを含む。当該方法は、オーディオ信号に基づいて、回転式データストレージデバイスの製品品質を選択的に推定することを含む。当該方法は、オーディオ信号と格納されている故障プロファイルとを選択的に相関させて、第１の構成要素の故障を予測することを含む。当該方法は、オーディオ信号に対してサブバンド分析を実施することを含む。
【００３６】
回転式データストレージデバイスを制御する集積回路は、集積回路によって実装されているドライブ手段であって、データの処理、データの格納および回転式データストレージデバイスの動作の制御のうち少なくとも１つを実行するドライブ手段と、集積回路によって実装されているオーディオモニタ手段であって、ドライブ手段と通信し、回転式データストレージデバイスが動作中に発生させるノイズに応じて決まるオーディオ信号を分析するオーディオモニタ手段とを備える。
【００３７】
他の特徴によると、ドライブ制御手段は、磁気ストレージデバイスを制御する磁気ストレージ制御手段および光学ストレージデバイスを制御する光学ストレージ制御手段のうち１つを有する。ドライブ手段は、読出／書込データを処理する読出／書込チャネル手段を有する。ドライブ制御手段は、データを処理する処理手段を有する。ドライブ制御手段は、スピンドル／ボイスコイルモータを駆動するスピンドル／ボイスコイルモータドライブ手段およびスピンドル／フィードモータを駆動するスピンドル／フィードモータドライブ手段のうち１つを有する。データストレージデバイスは、上記の集積回路と、回転式データストレージデバイスとを備える。オーディオ手段は、オーディオ信号を生成する。回転式データストレージデバイスは、第１の構成要素を有し、オーディオモニタ手段は、オーディオ信号に基づいて、第１の構成要素の動作パラメータを選択的に調整する。第１の構成要素は、回転式ストレージ媒体の回転および回転式ストレージ媒体からのデータ読出しのうち１つを実行する。回転式データストレージデバイスは、磁気ストレージデバイスおよび光学ストレージデバイスのうち１つを有する。オーディオモニタ手段は、オーディオ信号に基づいて、第１の構成要素の故障を選択的に診断する。オーディオモニタ手段は、オーディオ信号に基づいて、第１の構成要素の経年劣化を選択的に推定する。オーディオモニタ手段は、オーディオ信号に基づいて、第１の構成要素の今後の構成要素の故障を選択的に予測する。オーディオモニタ手段は、オーディオ信号に基づいて、データストレージデバイスの製品品質を選択的に推定する。オーディオモニタ手段は、オーディオ信号と格納されている故障プロファイルとを選択的に相関させて、第１の構成要素の故障を予測する。
【００３８】
他の特徴によると、アナログ／デジタルコンバータは、オーディオ信号をデジタルオーディオ信号に変換する。回転式データストレージデバイスはハードディスクドライブを有し、ハードディスクドライブは、ハードディスクドライブアセンブリ（ＨＤＤＡ）と、ハードディスクドライブ用プリント配線基板（ＨＤ  ＰＣＢ）とを含み、マイクロフォンは、ＨＤＤＡおよびＨＤ  ＰＣＢのうち一方に配設されている。ハードディスクドライブは、制御を行うハードディスクドライブ制御手段と、処理を行う処理手段と、駆動を行うスピンドル／ボイスコイルモータ（ＶＣＭ）ドライバ手段と、読出／書込データを処理する読出／書込チャネル手段とを含む。
【００３９】
他の特徴によると、オーディオモニタ手段は、システムオンチップにおいて、ハードディスクドライブ制御手段、処理手段、スピンドル／ＶＣＭドライバ手段、および読出／書込チャネル手段のうち少なくとも１つと集積化されている。回転式データストレージデバイスは、デジタルバーサティルディスク（ＤＶＤ）を有し、ＤＶＤは、デジタルバーサティルディスクアセンブリ（ＤＶＤＡ）と、デジタルバーサティルディスク用プリント配線基板（ＤＶＤ  ＰＣＢ）とを含み、マイクロフォンは、ＤＶＤＡおよびＤＶＤ  ＰＣＢのうち一方に配設されている。デジタルバーサティルディスクは、制御を行うデジタルバーサティルディスク制御手段と、処理を行う処理手段と、駆動を行うスピンドル／フィードモータ（ＦＭ）ドライバ手段と、読出／書込データを処理する読出／書込チャネル手段とを含む。
【００４０】
他の特徴によると、オーディオモニタ手段は、システムオンチップにおいて、デジタルバーサティルディスク制御手段、処理手段、スピンドル／ＦＭドライバ手段、および読出／書込チャネル手段のうち少なくとも１つと集積化されている。オーディオモニタ手段は、オーディオ信号に対してサブバンド分析を実施する。第１の構成要素は、スピンドルモータおよびボイスコイルモータ（ＶＣＭ）のうち少なくとも１つを含む。第１の構成要素は、スピンドルモータおよびフィードモータのうち少なくとも１つを含む。柔軟性接続手段は、ＨＤＤＡおよびＨＤ  ＰＣＢの構成要素を接続し、オーディオ手段はＨＤＤＡに配設され、オーディオモニタ手段およびオーディオ手段と通信する伝導手段が、柔軟性接続手段に対応付けられている。柔軟性接続手段は、ＤＶＤＡおよびＤＶＤ  ＰＣＢの構成要素を接続し、オーディオ手段はＤＶＤＡに配設され、オーディオモニタ手段およびオーディオ手段と通信する伝導手段が、柔軟性接続手段に対応付けられている。ハードディスクドライブは、電力インターフェースを提供する電力管理インターフェース手段を含み、オーディオモニタ手段は、システムオンチップにおいて、電力管理インターフェース手段と集積化されている。デジタルバーサティルディスクは、電力インターフェースを提供する電力管理インターフェース手段を含み、オーディオモニタ手段は、システムオンチップにおいて、電力管理インターフェース手段と集積化されている。ドライブ制御手段は、集積回路において、オーディオモニタ手段と集積化されている。
【００４１】
コンピュータシステムは、データ処理を実行するプロセッサと、プロセッサを冷却するファンと、ファンが動作中に生じさせるノイズに応じて決まるオーディオ信号を分析するオーディオモニタモジュールとを備える。
【００４２】
他の特徴によると、オーディオモニタモジュールは、集積回路において、プロセッサに集積化されている。マイクロフォンは、オーディオモニタモジュールと通信し、オーディオ信号を生成する。ヒートシンクは、プロセッサおよびファンとの間で熱を伝導する。オーディオモニタモジュールは、オーディオ信号に基づいて、ファンの動作パラメータを選択的に調整する。オーディオモニタモジュールは、オーディオ信号に基づいて、ファンの故障を選択的に診断する。オーディオモニタモジュールは、オーディオ信号に基づいて、ファンの経年劣化を選択的に推定する。オーディオモニタモジュールは、オーディオ信号に基づいて、ファンの今後の故障を選択的に予測する。オーディオモニタモジュールは、オーディオ信号に基づいて、ファンの製品品質を選択的に推定する。オーディオモニタモジュールは、オーディオ信号と格納されている故障プロファイルとを選択的に相関させて、ファンの故障を予測する。マザーボードがシャーシに配設されており、ファンはシャーシに配設される。プロセッサは、グラフィックスプロセッサを含む。マイクロフォンは、マザーボートおよびシャーシのうち少なくとも１つに配設されている。
【００４３】
コンピュータシステムは、データ処理を実行する処理手段と、処理手段を冷却するファン手段と、ファン手段が動作中に生じさせるノイズに応じて決まるオーディオ信号を分析するオーディオモニタ手段とを備える。
【００４４】
他の特徴によると、オーディオモニタ手段は、集積回路において、処理手段に集積化されている。オーディオ入力手段は、オーディオモニタ手段と通信し、オーディオ信号を生成する。ヒートシンク手段は、処理手段からファン手段へと熱を伝導する。オーディオモニタ手段は、オーディオ信号に基づいて、ファン手段の動作パラメータを選択的に調整する。オーディオモニタ手段は、オーディオ信号に基づいて、ファン手段の故障を選択的に診断する。オーディオモニタ手段は、オーディオ信号に基づいて、ファン手段の経年劣化を選択的に推定する。オーディオモニタ手段は、オーディオ信号に基づいて、ファン手段の今後の故障を選択的に予測する。オーディオモニタ手段は、オーディオ信号に基づいて、ファン手段の製品品質を選択的に推定する。オーディオモニタ手段は、オーディオ信号と格納されている故障プロファイルとを選択的に相関させて、ファン手段の故障を予測する。マザーボードがシャーシに配設されている。ファン手段はシャーシに配設される。処理手段は、グラフィックスを処理するグラフィックス処理手段を含む。オーディオ入力手段は、マザーボートおよびシャーシのうち少なくとも１つに配設されている。
【００４５】
コンピュータシステムを動作させる方法は、データ処理を実行するコンピュータシステム用のプロセッサを提供することと、ファンを用いてプロセッサを冷却することと、ファンが動作中に生じさせるノイズに応じて決まるオーディオ信号を分析することとを含む。
【００４６】
他の特徴によると、当該方法は、集積回路においてオーディオモニタモジュールをプロセッサと集積化することを含む。当該方法は、オーディオモニタモジュールと通信し、オーディオ信号を生成するマイクロフォンを用いることを含む。当該方法は、プロセッサからファンへと熱を移動させるヒートシンクを提供することを含む。当該方法は、オーディオ信に基づいて、ファンの動作パラメータを選択的に調整することを含む。当該方法は、オーディオ信号に基づいて、ファンの故障を選択的に診断することを含む。当該方法は、オーディオ信号に基づいて、ファンの経年劣化を選択的に推定することを含む。当該方法は、オーディオ信号に基づいて、ファンの今後の故障を選択的に予測することを含む。当該方法は、オーディオ信号に基づいて、ファンの製品品質を選択的に推定することを含む。当該方法は、オーディオ信号と格納されている故障プロファイルとを選択的に相関させて、ファンの故障を予測することを含む。
【００４７】
他の特徴によると、当該方法は、シャーシと、シャーシに配設されているマザーボードとを提供することと、ファンをシャーシに配設することとを含む。プロセッサは、グラフィックスプロセッサを含む。当該方法は、シャーシと、シャーシに配設されているマザーボードとを提供することと、シャーシおよびマザーボードのうち少なくとも１つにマイクロフォンを配設することとを含む。
【００４８】
さらに他の特徴によると、上記のシステムおよび方法は、１以上のプロセッサによって実行されるコンピュータプログラムによって実装される。当該コンピュータプログラムは、これらに限定されないが、メモリ、不揮発性データストレージ、および／またはその他の適切な有形格納媒体等のコンピュータ読み出し可能媒体に格納され得る。
【００４９】
デバイスは、集積回路を備える。ファンは、集積回路を冷却する。オーディオモニタモジュールは、ファンが動作中に生じさせるノイズに応じて決まるオーディオ信号を分析する。
【００５０】
他の特徴によると、オーディオモニタモジュールは、集積回路によって実装されており、集積回路に集積化されている。マイクロフォンは、オーディオモニタモジュールと通信し、オーディオ信号を生成する。ヒートシンクは、集積回路およびファンとの間で熱を伝導する。オーディオモニタモジュールは、オーディオ信号に基づいて、ファンの動作パラメータを選択的に調整する。オーディオモニタモジュールは、オーディオ信号に基づいて、ファンの故障を選択的に診断する。オーディオモニタモジュールは、オーディオ信号に基づいて、ファンの経年劣化を選択的に推定する。オーディオモニタモジュールは、オーディオ信号に基づいて、ファンの今後の故障を選択的に予測する。オーディオモニタモジュールは、オーディオ信号に基づいて、ファンの製品品質を選択的に推定する。オーディオモニタモジュールは、オーディオ信号と格納されている故障プロファイルとを選択的に相関させて、ファンの故障を予測する。
【００５１】
他の特徴によると、当該デバイスはシャーシを備える。プリント配線基板およびマザーボードのうち少なくとも１つが、シャーシに配設されている。ファンはシャーシに配設されており、集積回路は、プリント配線基板およびマザーボードのうち少なくとも１つに配設されている。集積回路は、中央演算処理装置（ＣＰＵ）、グラフィックスプロセッシングユニット（ＧＰＵ）、および特定用途向け集積回路（ＡＳＩＣ）のうち１つを有する。当該デバイスはシャーシを備える。プリント配線基板およびマザーボードのうち少なくとも１つが、シャーシに配設されている。マイクロフォンは、シャーシ、ならびに、プリント配線基板およびマザーボードのうち少なくとも１つのうち少なくとも１つに配設されている。
【００５２】
他の特徴によると、オーディオモニタモジュールは、オーディオ信号に基づいて、指標信号を選択的に生成する。回転式データストレージデバイスは、第１の構成要素を含み、オーディオモニタモジュールは、第１の構成要素の共振を検出すると、第１の構成要素の回転速度を選択的に調整する。オーディオモニタモジュールは、所定値または回転速度の所定パーセントのうち一方だけ、回転速度を調整する。
【００５３】
デバイスは、集積回路を備える。ファン手段は、集積回路を冷却する。オーディオモニタ手段は、ファン手段が動作中に生じさせるノイズに応じて決まるオーディオ信号を分析する。
【００５４】
他の特徴によると、オーディオモニタ手段は、集積回路によって実装されており、集積回路に集積化されている。オーディオ入力手段は、オーディオモニタ手段と通信し、オーディオ信号を生成する。ヒートシンク手段は、集積回路からファン手段へと熱を伝導する。オーディオモニタ手段は、オーディオ信号に基づいて、ファン手段の動作パラメータを選択的に調整する。オーディオモニタ手段は、オーディオ信号に基づいて、ファン手段の故障を選択的に診断する。オーディオモニタ手段は、オーディオ信号に基づいて、ファン手段の経年劣化を選択的に推定する。オーディオモニタ手段は、オーディオ信号に基づいて、ファン手段の今後の故障を選択的に予測する。オーディオモニタ手段は、オーディオ信号に基づいて、ファン手段の製品品質を選択的に推定する。オーディオモニタ手段は、オーディオ信号と格納されている故障プロファイルとを選択的に相関させて、ファン手段の故障を予測する。
【００５５】
他の特徴によると、当該デバイスはシャーシを備える。プリント配線基板およびマザーボードのうち少なくとも１つが、シャーシに配設されている。ファン手段はシャーシに配設されており、集積回路は、プリント配線基板およびマザーボードのうち少なくとも１つに配設されている。集積回路は、中央演算処理装置（ＣＰＵ）、グラフィックスプロセッシングユニット（ＧＰＵ）、および特定用途向け集積回路（ＡＳＩＣ）のうち１つを有する。
【００５６】
他の特徴によると、当該デバイスはシャーシと、プリント配線基板およびマザーボードのうち少なくとも１つとを備える。オーディオ入力手段は、シャーシ、ならびに、プリント配線基板およびマザーボードのうち少なくとも１つのうち少なくとも１つに配設されている。
【００５７】
デバイスを動作させる方法は、集積回路を提供することと、ファンを用いて集積回路を冷却することと、ファンが動作中に生じさせるノイズに応じて決まるオーディオ信号を分析することとを含む。
【００５８】
他の特徴によると、当該方法は、オーディオモニタモジュールを集積回路と集積化することを含む。当該方法は、オーディオモニタモジュールと通信し、オーディオ信号を生成するマイクロフォンを用いることを含む。当該方法は、集積回路からファンへと熱を移動させるヒートシンクを提供することを含む。当該方法は、オーディオ信に基づいて、ファンの動作パラメータを選択的に調整することを含む。当該方法は、オーディオ信号に基づいて、ファンの故障を選択的に診断することを含む。当該方法は、オーディオ信号に基づいて、ファンの経年劣化を選択的に推定することを含む。当該方法は、オーディオ信号に基づいて、ファンの今後の故障を選択的に予測することを含む。当該方法は、オーディオ信号に基づいて、ファンの製品品質を選択的に推定することを含む。当該方法は、オーディオ信号と格納されている故障プロファイルとを選択的に相関させて、ファンの故障を予測することを含む。
【００５９】
他の特徴によると、当該方法は、シャーシと、シャーシに配設されているプリント配線基板およびマザーボードのうち少なくとも１つとを提供することと、ファンをシャーシに配設することとを含む。集積回路は、中央演算処理装置（ＣＰＵ）、グラフィックス集積回路、および特定用途向け集積回路（ＡＳＩＣ）のうち１つを有する。当該方法は、シャーシと、シャーシに配設されているプリント配線基板およびマザーボードのうち少なくとも１つとを提供することと、シャーシ、ならびに、プリント配線基板およびマザーボードのうち少なくとも１つのうち少なくとも１つにマイクロフォンを配設することとを含む。
【００６０】
本開示は上記以外の分野でも応用することができ、それらの利用可能分野は以下の詳細な説明から明らかになる。詳細な説明および具体例は、本開示の好ましい実施形態を示すものであるが、例示を目的としたものに過ぎず本開示の範囲を限定するものではないと理解されたい。
【図面の簡単な説明】
【００６１】
詳細な説明と添付図面に基づいて本開示を十分に分かりやすく説明する。添付図面は以下の通りである。
【００６２】
【図１】先行技術に係るＨＤＤシステムを示す機能ブロック図である。
【００６３】
【図２】先行技術に係るＤＶＤシステムを示す機能ブロック図である。
【００６４】
【図３Ａ】本開示に係る、オーディオモニタモジュールとマイクロフォンとを備えるＨＤＤシステムの第１の例を示す機能ブロック図である。
【００６５】
【図３Ｂ】本開示に係る、オーディオモニタモジュールとマイクロフォンとを備えるＤＶＤシステムの第１の例を示す機能ブロック図である。
【００６６】
【図４Ａ】本開示に係る、オーディオモニタモジュールとマイクロフォンとを備えるＨＤＤシステムの第２の例を示す機能ブロック図である。
【００６７】
【図４Ｂ】本開示に係る、オーディオモニタモジュールとマイクロフォンとを備えるＤＶＤシステムの第２の例を示す機能ブロック図である。
【００６８】
【図５Ａ】本開示に係る、オーディオモニタモジュールとマイクロフォンとを備えるＨＤＤシステムの第３の例を示す機能ブロック図である。
【００６９】
【図５Ｂ】本開示に係る、オーディオモニタモジュールとマイクロフォンとを備えるＤＶＤシステムの第３の例を示す機能ブロック図である。
【００７０】
【図６Ａ】本開示に係る、オーディオモニタモジュールとマイクロフォンとを備えるＨＤＤシステムの第４の例を示す機能ブロック図である。
【００７１】
【図６Ｂ】本開示に係る、オーディオモニタモジュールとマイクロフォンとを備えるＤＶＤシステムの第４の例を示す機能ブロック図である。
【００７２】
【図７Ａ】本開示に係る、オーディオモニタモジュールとマイクロフォンとを備えるＨＤＤシステムの第５の例を示す機能ブロック図である。
【００７３】
【図７Ｂ】本開示に係る、オーディオモニタモジュールとマイクロフォンとを備えるＤＶＤシステムの第５の例を示す機能ブロック図である。
【００７４】
【図８】本開示に係るオーディオモニタモジュールの例を示す機能ブロック図である。
【００７５】
【図９】オーディオモニタに基づいてＨＤＤシステムまたはＤＶＤシステムの動作パラメータを調整する方法を示すフローチャートである。
【００７６】
【図１０】オーディオモニタに基づいてＨＤＤシステムまたはＤＶＤシステムの製品品質を決定する方法を示すフローチャートである。
【００７７】
【図１１】オーディオモニタに基づいてＨＤＤシステムまたはＤＶＤシステムの経年劣化を推定する方法を示すフローチャートである。
【００７８】
【図１２】オーディオモニタに基づいてＨＤＤシステムまたはＤＶＤシステムの今後の故障を推定する方法を示すフローチャートである。
【００７９】
【図１３】中央演算処理装置（ＣＰＵ）、グラフィックス・プロセッシング・ユニット、または特定用途向け集積回路等の集積回路と、ファンとを備えるデバイスを示す機能ブロック図である。
【発明を実施するための形態】
【００８０】
以下の説明は、本質的に例示に過ぎず、本開示、その用途または利用を限定するものでは決してない。本開示を明確に説明するべく、類似の構成要素を図中で指定する際には複数の図面にわたって同一の参照番号を使用する。本明細書で使用する場合、モジュール、回路および／またはデバイスという用語は、１以上のソフトウェアまたはファームウェアプログラムを実行する特定用途向け集積回路（ＡＳＩＣ）、電子回路、プロセッサ（共有、専用または群）およびメモリ、組み合わせ論理回路、および／または本明細書で記載する機能を提供する上記以外に適切な構成要素を指すものとする。本明細書で言及される場合、「Ａ、ＢおよびＣのうち少なくとも１つ」という表現は、論理演算（ＡまたはＢまたはＣ）、非排他的論理和を意味すると解釈されたい。尚、方法が含むステップは、本開示の原則を変更することなく、別の順序に従って実行され得る。
【００８１】
マイクロフォンは、ハードディスクアセンブリ（ＨＤＤＡ）および／またはＤＶＤアセンブリ（ＤＶＤＡ）の構成要素によって生じるノイズをモニタする。ＨＤＤＡおよび／またはＤＶＤＡは本来機械的構造を有するので、モータ、サーボの移動、気流の乱れ、断続的なヘッドの衝突、接続が緩んだ構成要素、および／または、さまざまな機械的共振によって発生するノイズが、後述するように、オーディオモニタモジュールによって検出され得る。構成要素の共振モードが検出されると、オーディオモニタモジュールは所定の量またはパーセントだけ、当該構成要素の速度を増減させるとしてもよい。所定の量とは、固定値、現在の速度の固定パーセント、可変値または可変パーセント、累進値および／またはその他の適切な値を含み得る。
【００８２】
例えば、オーディオモニタモジュールはサブバンド分析を利用し得る。ＨＤＤシステムおよびＤＶＤシステムの動作は、信号レベル、周波数およびノイズパターンと共に時間の関数としてモニタ対象パラメータの変化をモニタすることによって、改善され得る。当該システムは、ＨＤＤ動作パラメータまたはＤＶＤ動作パラメータを自動的に調整して、音響ノイズを低減するとしてもよい。このようにすることによって、ユーザが感じる不快感を和らげるとしてもよい。ＨＤＤＡまたはＤＶＤＡの動作を調整して機械的構成要素を共振モードから離脱させる処理は、各ＨＤＤシステムまたはＤＶＤシステム毎に、その使用中に最適化され得る。また、モータおよび／またはサーボノイズはリアルタイムでモニタして、その結果に基づいて今後の故障を予測するとしてもよい。過去データを分析して、ＨＤＤシステムまたはＤＶＤシステムの経年劣化を推測およびモニタするとしてもよい。
【００８３】
オーディオモニタモジュールはさらに、比較的低コストで製品品質を異ならせるために用いられ得る。例えば、このような方法を利用することによって、高品質ドライブまたは低品質ドライブをその他の中程度品質ドライブから区別し得る。特に同一または同様の設計のＨＤＤシステムまたはＤＶＤシステムについては、ノイズが小さいデバイスの方がノイズが大きいデバイスよりも信頼性が高い傾向にある。さらに、機械的構成要素をリアルタイムでモニタすることによって、今後の品質レベルを改善することができる。本明細書ではＤＶＤシステムについて記載しているが、本開示はコンパクトディスク（ＣＤ）（登録商標）にも同様に適用され得る。
【００８４】
マイクロフォンは、ＨＤＤＡまたはＤＶＤＡに埋め込まれるとしてもよいし、および／または、ＨＤＤシステムまたはＤＶＤシステムのプリント配線基板アセンブリ（ＰＣＢＡ）に埋め込まれるとしてもよい。マイクロフォンは、ＨＤＤＡまたはＤＶＤＡに埋め込まれる場合、コスト削減のために、柔軟性コネクタを共有し得る。また、システムコストを低減するべく、システムオンチップ（ＳＯＣ）、モータコントローラおよび／または電力管理モジュールに、オーディオアナログ／デジタルコンバータ（ＡＤＣ）を埋め込むこともできる。ＳＯＣのプロセッサを、オーディオモニタモジュールで共有して、オーディオ信号分析を行い、コスト削減を実現することもできる。
【００８５】
図３Ａおよび図３Ｂを参照しつつ説明すると、オーディオ分析モジュールとマイクロフォンとを、対応するデバイスのＰＣＢに配設し得る。図３Ａに示す第１の例のＨＤＤシステム２００は、マイクロフォン２０４とオーディオモニタモジュール２０８とを備える。マイクロフォン２０４は、ＨＤＤシステムの動作中において、オーディオ信号を受信する。オーディオモニタモジュール２０８は、当該信号をデジタル信号に変換して、上述および／または後述するように、当該信号に対してオーディオ分析を実施する。このオーディオ分析には、さまざまな信号レベル、周波数およびノイズ発生パターンをモニタすることと共に、時間の関数としてモニタ対象パラメータの変化をモニタすることが含まれるとしてもよい。ノイズ発生パターンは、特定周波数における共振またはその他の基準を含むとしてもよい。このようなオーディオ分析に基づき、オーディオモニタモジュール２０８は、ＨＤＤシステムの動作パラメータを選択的に変更し、および／または、その他の処理を実行する。
【００８６】
マイクロフォン２０４およびオーディオモニタモジュール２０８は、ＨＤ  ＰＣＢ１４に対応付けられるとしてもよい。「ドライブモジュール」という用語は、本明細書で使用される場合、データの制御、格納および処理を支援し、および／または、これらに限定されるわけではないが、ＨＤＣ制御モジュール２６、プロセッサ２２、スピンドル／ＶＣＭドライバモジュール３０、読出／書込チャネルモジュール３４等のＨＤＤの操作を支援するＨＤＤの構成要素を意味する単語として用いるとしてもよい。マイクロフォン２０４および／またはオーディオモニタモジュール２０８は、システムオンチップ（ＳＯＣ）２１０に含まれるＨＤＣ制御モジュール２６、プロセッサ２２、スピンドル／ＶＣＭドライバモジュール３０、および／または読出／書込チャネルモジュール３４等の１以上の追加構成要素と、対応付けるとしてもよいし、および／または、集積化するとしてもよい。これに代えて、プロセッサ２２は、点線２１１で示すように、ＨＤＣ制御モジュール２６に埋め込まれるとしてもよいし、またはＨＤＣ制御モジュール２６と集積化するとしてもよい。
【００８７】
図３Ｂに示す第１の例のＤＶＤシステム２３０は、ＤＶＤ  ＰＣＢ１１４に対応付けられるオーディオモニタモジュール２３２とマイクロフォン２３４とを備える。マイクロフォン２３４は、ＤＶＤシステムの動作中において、オーディオ信号を受信する。オーディオモニタモジュール２３２は、当該信号をデジタル信号に変換して、上述および／または後述するように、当該信号に対して分析を実施する。この分析に基づき、オーディオモニタモジュール２３２は、ＤＶＤシステムの動作パラメータを選択的に変更し、および／または、その他の処理を実行する。
【００８８】
マイクロフォン２３４およびオーディオモニタモジュール２３２は、ＤＶＤ  ＰＣＢ１１４に対応付けられるとしてもよい。「ドライブモジュール」という用語は、本明細書で使用される場合、データの制御、格納および処理を支援し、および／または、これらに限定されるわけではないが、制御モジュール１２６、プロセッサ１２２、スピンドル／ＦＭドライバモジュール１３０、読出／書込チャネルモジュール１３４等のＤＶＤの操作を支援するＤＶＤの構成要素を意味する単語として用いるとしてもよい。マイクロフォン２３４および／またはオーディオモニタモジュール２３２は、システムオンチップ（ＳＯＣ）２３６に含まれる制御モジュール１２６、プロセッサ１２２、スピンドル／ＦＭドライバモジュール１３０、および／または読出／書込チャネルモジュール１３４等の１以上の追加デバイスと、対応付けるとしてもよいし、および／または、集積化するとしてもよい。これに代えて、プロセッサ１２２は、点線２３７で示すように、制御モジュール１２６に埋め込まれるとしてもよいし、または制御モジュール１２６と集積化するとしてもよい。
【００８９】
マイクロフォンおよび／またはオーディオモニタモジュールについては、多くの異なる位置に配設され、および／または多くの異なる形態で実施し得る。図４Ａおよび図４Ｂは、オーディオモニタモジュールおよびマイクロフォンを備えるＨＤＤシステムおよびＤＶＤシステムの第２の例を示す。図４Ａに示すＨＤＤシステム２５０は、ＨＤＤＡ５０に対応付けられているマイクロフォン２５４を備える。マイクロフォン２５４からオーディオモニタモジュール２５８への接続２５６は、コストを削減するべく、柔軟性コネクタ２６０によって与えられ得る。柔軟性コネクタ２６０は、プリアンプ６０およびサーボ５８といったほかのデバイスに対する導体をも有するとしてもよい。図４Ｂに示すＤＶＤシステム２７０は、ＤＶＤＡ１５０に対応付けられているマイクロフォン２７４を備える。マイクロフォン２７４からオーディオモニタモジュール２７８への接続２７６は、コストを削減するべく、柔軟性コネクタ２８０によって与えられ得る。
【００９０】
図５Ａおよび図５Ｂは、オーディオモニタモジュールおよびマイクロフォンを備えるＨＤＤシステムおよびＤＶＤシステムの第３の例を示す。図５Ａに示すＨＤＤシステム３００は、オーディオモニタモジュール３０２とマイクロフォン３０４を備える。マイクロフォン３０４は、図示されているようにＨＤＤＡ５０に対応付けられているとしてもよいし、および／または、ＨＤ  ＰＣＢ１４に対応付けられているとしてもよい。オーディオモニタモジュール３０２は、ＳＯＣ内のプロセッサと集積化されているとしてもよい。オーディオモニタモジュール３０２用の処理は、プロセッサ２２によって実施されるとしてもよく、このような構成とすることによってコスト削減が実現される。
【００９１】
図５Ｂに示すＤＶＤシステム３２０は、オーディオモニタモジュール３２２とマイクロフォン３２４を備える。マイクロフォン３２４は、図示されているようにＤＶＤＡ１５０に対応付けられているとしてもよいし、および／または、ＤＶＤ  ＰＣＢ１１４に対応付けられているとしてもよい。オーディオモニタモジュール３２２用の処理は、プロセッサ１２２によって実施されるとしてもよく、このような構成とすることによってコスト削減が実現される。オーディオモニタモジュール３０２および３２２、ならびにプロセッサ２２および１２２はどちらも、ＳＯＣで集積化されるとしてもよい。その他の構成要素もまた、上述したように、ＳＯＣに集積化されるとしてもよい。
【００９２】
図６Ａおよび図６Ｂは、オーディオモニタモジュールおよびマイクロフォンを備えるＨＤＤシステムおよびＤＶＤシステムの第４の例を示す。図６Ａに示すＨＤＤシステム３４０は、オーディオモニタモジュール３４２とマイクロフォン３４４を備える。オーディオモニタモジュール３４２は、スピンドル／ＶＣＭドライバモジュール３０に集積化されている。マイクロフォン３４４は、ＨＤＤＡ５０および／またはＨＤ  ＰＣＢ１４に配設されているとしてもよい。図６Ｂに示すＤＶＤシステム３６０は、オーディオモニタモジュール３６２とマイクロフォン３６４を備える。オーディオモニタモジュール３６２は、スピンドル／ＦＭドライバモジュール１３０に集積化されている。マイクロフォン３６４は、ＤＶＤＡ１５０および／またはＤＶＤ  ＰＣＢ１１４に配設されているとしてもよい。
【００９３】
想起され得ることであるが、オーディオモニタモジュールは、これらに限定されないが、ＨＤＣ制御モジュール２６および／または読出／書込チャネルモジュール３４等の、他のＨＤＤシステム構成要素と集積化されているとしてもよい。同様に、オーディオモニタモジュールは、これらに限定されないが、ＤＳＰ１４０、１４４および１４２、ＤＶＤ制御モジュール１２６および／または読出／書込チャネルモジュール１３４等の、他のＤＶＤシステム構成要素と集積化されているとしてもよい。さまざまな構成要素をＳＯＣに集積化することができる。
【００９４】
図７Ａおよび図７Ｂは、オーディオモニタモジュールおよびマイクロフォンを備えるＨＤＤシステムおよびＤＶＤシステムの第５の例を示す。図７Ａに示すＨＤＤシステム３８０は、ＨＤＤシステム３８０の電力を管理する電力管理モジュール３８２を備える。ＨＤＤシステム３８０はさらに、オーディオモニタモジュール３８４とマイクロフォン３８６を備える。オーディオモニタモジュール３８４は、電力管理モジュール３８２によって実装される。マイクロフォン３８６は、ＨＤＤＡ５０および／またはＨＤ  ＰＣＢ１４に配設されているとしてもよい。
【００９５】
図７Ｂに示すＤＶＤシステム４００は、ＤＶＤシステム４００の電力を管理する電力管理モジュール４０２を備える。ＤＶＤシステム４００はさらに、オーディオモニタモジュール４０４とマイクロフォン４０６を備える。オーディオモニタモジュール４０４は、ＤＶＤに与えられる電力を管理する電力管理モジュール４０２によって実装される。マイクロフォン４０６は、ＤＶＤＡ１５０および／またはＤＶＤ  ＰＣＢ１１４に配設されているとしてもよい。
【００９６】
図８は、本開示に係るオーディオモニタモジュール４２０の一例を示す。オーディオモニタモジュール４２０は、マイクロフォン４２２の出力を受け取る。オーディオモニタモジュール４２０は、マイクロフォンのアナログ出力をデジタルオーディオ信号に変換するアナログ／デジタルコンバータ（ＡＤＣ）４２４を有する。分析モジュール４２８は、アナログ／デジタルコンバータ４２４のデジタルオーディオ出力を受け取る。分析モジュール４２８は、メモリ４３４との間でデータの送受信を選択的に行う。当該メモリは、分析モジュールに対してローカルであってもよいし、および／または揮発性メモリおよび不揮発性メモリ等の共有メモリであってもよい。パラメータ調整モジュール４３０は、分析に基づいて、ＨＤＤデバイスまたはＤＶＤデバイスの動作パラメータを選択的に調整する。
【００９７】
分析モジュール４２８は、信号レベル、周波数、ノイズ発生パターン、時間の関数としてのモニタ対象パラメータの変化、および／またはモニタ対象パラメータのその他の関数をモニタするサブバンド分析モジュール４４２を含むとしてもよい。ノイズ発生パターンは、特定の周波数における共振またはその他の基準を含み得る。
【００９８】
故障予測モジュール４４４は、現在および／または過去のノイズ情報および／またはその関数に基づいて、故障を選択的に予測する。例えば、故障予測モジュールは、現在および／または過去のデータに基づいて外挿するとしてもよいし、さらに予想故障発生日を推定するとしてもよい。品質分析モジュール４４８は、測定された現在および／または過去のノイズ情報および／またはその関数に基づいて、ＨＤＤデバイスまたはＤＶＤデバイスの品質を推定するとしてもよい。経年劣化推定モジュール４５２は、現在および／または過去のノイズ情報、現在または過去の情報の変化、および／または、現在および／または過去のノイズ情報のその他の関数に基づいて、デバイスの経年劣化を推定する。経年劣化は、耐久性期待値または耐用年数期待値に対して相対的であってもよい。例えば、経年劣化推定モジュール４５２は、時間の関数としてノイズレベルの変化をモニタするとしてもよい。当該ノイズレベルと、関数、データ、曲線等の格納されている情報とを比較して、デバイスまたは構成要素の経年劣化を推定するとしてもよい。
【００９９】
相関モジュール４５３は、現在のノイズ情報と格納されているノイズ情報とを比較して、特別な故障を特定するとしてもよい。メモリモジュール４３４は、発生する可能性がある故障モードに関連するノイズプロファイルを格納するとしてよい。相関モジュール４５３は、現在および／または過去のノイズプロファイルと格納されているプロファイルとを相関させるとしてもよい。当該相関が所定の相関値を超えている場合、相関モジュールは障害メッセージを出力し、診断を開始し、および／またはその他の処理を実行するとしてもよい。
【０１００】
図９に示すフローチャートは、感知されるノイズ情報に基づいてＨＤＤまたはＤＶＤの動作パラメータを調整する方法の一例の各ステップを説明するためのものである。ステップ５００から開始される。ステップ５０２では、デバイスが動作中であるか否かを判断する。ステップ５０４では、オーディオ信号をデジタルオーディオ信号に変換する。ステップ５０６では、デジタルオーディオ信号を分析する。ステップ５０８では、問題が検出されたか否かを判断する。つまり、ノイズ情報が問題を示すか否かを判断する。例えば、モニタ対象のノイズパラメータがしきい値を超えている場合には問題がある。真であれば、ステップ５０９で、ＨＤＤデバイスまたはＤＶＤデバイスの動作パラメータを調整する。例えば、回転速度、スキャン速度、電圧レベル、電流レベル、またはその他の任意のパラメータを調整するとしてもよい。ステップ５０８が偽であれば、ステップ５１０に進み、現在および／または過去のノイズ情報および／またはその関数に基づいて、今後故障が発生する可能性があるか否かを判断する。ステップ５１０が真であれば、ステップ５１４において、ホストデバイスにメッセージを送信して、および／または、ＨＤＤデバイスまたはＤＶＤデバイスの動作パラメータを調整する。
【０１０１】
図１０に示すフローチャートは、感知されるノイズ情報に基づいてＨＤＤシステムまたはＤＶＤシステムのデバイス品質を決定する方法の各ステップを説明するためのものである。ステップ５３０から開始される。ステップ５３２では、デバイスが動作中であるか否かを判断する。真であれば、ステップ５３４では、オーディオ信号をデジタルオーディオ信号に変換する。
【０１０２】
ステップ５３８では、デジタルオーディオ信号を分析する。ステップ５４０では、現在および／または過去のノイズ情報および／またはその関数と、第１のしきい値とを比較する。ノイズレベルが第１のしきい値未満であれば、ステップ５４２において品質を第１の品質値に設定する。ステップ５４０が偽である場合、ステップ５５０において、現在および／または過去のノイズ情報が第１のしきい値より大きいが第２のしきい値未満であるか否かを判断する。真であれば、ステップ５５４において、品質を第２の品質値に設定する。偽であれば、ステップ５６０において、品質を第３の品質値に設定する。品質値または品質レベルが３つであるとしたが、利用する品質値の数はこれより多くても少なくてもよい。品質値または品質レベルは、価格設定および／またはその他のマーケティング関連の決定事項をさまざまな異なるレベルに設定するべく利用され得る。
【０１０３】
図１１に示すフローチャートは、現在および／または過去のノイズレベルに基づいてＨＤＤシステムまたはＤＶＤシステムの経年劣化を推定する方法の各ステップを説明するためのものである。ステップ５８０から開始される。ステップ５８４では、デバイスが動作中であるか否かを判断する。ステップ５８６では、オーディオ信号をデジタルオーディオ信号に変換する。ステップ５９０では、デジタルオーディオ信号を分析する。ステップ５９４において、現在および／または過去のノイズレベルと所定のしきい値、関数またはその他の所定基準とを比較する。ステップ５９６では、当該比較に基づいて、ＨＤＤシステムまたはＤＶＤシステム、および／または、１以上の構成要素の、経年劣化を推定する。
【０１０４】
図１２に示すフローチャートは、現在および／または過去のノイズレベルに基づいてＨＤＤシステムまたはＤＶＤシステムの今後の故障を推定する方法の各ステップを説明するためのものである。ステップ６００から開始される。ステップ６０４では、デバイスが動作中であるか否かを判断する。ステップ６０６では、オーディオ信号をデジタルオーディオ信号に変換する。ステップ６１０では、デジタルオーディオ信号を分析する。ステップ６１４において、現在および／または過去のノイズレベルに基づいて今後の性能を外挿し、外挿結果と所定のしきい値、関数またはその他の所定の基準とを比較する。ステップ６１６において、当該比較に基づいて、ＨＤＤシステムまたはＤＶＤシステム、および／または、その１以上の構成要素の今後の故障を推定する。例えば、推定故障発生日または故障までの推定残り動作時間を与えるとしてもよい。
【０１０５】
図１３は、プリント配線基板（ＰＣＢ）（不図示）またはマザーボード７０４を備えるデバイス７００を示す。一例に過ぎないが、デバイス７００は、コンピュータシステム、ネットワークスイッチ、ルータ、サーバ、または、集積回路を有し、シャーシ上および／または筐体内に配設され、冷却目的でファンを利用するその他の種類の電子デバイスであってよい。１以上の集積回路７０８は、マザーボード７０４に配設されているとしてもよい。
【０１０６】
一例に過ぎないが、集積回路７０８は、中央演算処理装置（ＣＰＵ）、特定用途向け集積回路（ＡＳＩＣ）、グラフィックス・プロセッシング・ユニット（ＧＰＵ）、および／またはその他の種類の集積回路を含むとしてよい。ヒートシンク７１２は、集積回路７０８との間で熱を伝導し、集積回路７０８から熱を吸収する。ファン７１６は、ヒートシンク７１２の上方で空気を循環させて、熱を放散させる。
【０１０７】
グラフィックス・プロセッシング・ユニット（ＧＰＵ）７１８のような他の種類の集積回路を１以上、マザーボード７０４に配設するとしてもよい。ヒートシンク７２２は、ＧＰＵ７１８との間で熱を伝導し、ＧＰＵ７１８から熱を移動させる。ファン７２６は、ヒートシンク７２２の上方で空気を循環させて、熱を放散させる。マザーボード７０４は、シャーシ上および／または筐体７３０内に配設するとしてもよい。ファン７３４を１以上追加して、筐体内での冷却機能を強化するとしてもよい。メモリモジュールおよび／またはその他のモジュールまたはデバイス（不図示）等のその他の構成要素７４４は、マザーボード７０４上に配設するとしてもよい。
【０１０８】
動作について説明すると、集積回路７０８は、ファン７１６、７２６および／または７３４が生じさせるオーディオ信号をモニタするオーディオモニタモジュール７５０を有するとしてもよい。マイクロフォン７５４は、筐体７３０の内部に配設するとしてもよい。これに代えて、マイクロフォン７５６は筐体７３０の外部に配設するとしてもよい。これに代えて、スピーカ７５８はマイクロフォンとして利用されるとしてもよい。スピーカ７５６に当たる音波が感知されて分析に利用されるとしてもよい。
【０１０９】
集積回路７０８および／またはＧＰＵ７１８は、上述したように、オーディオ信号に対してオーディオ分析を実施するオーディオモニタ（ＡＭ）モジュール７５０を有するとしてもよい。これに代えて、ＡＭモジュール７５０は、スタンドアローンなデバイスであってもよいし、または、その他の構成要素または集積回路と集積化されているとしてもよい。ＡＭモジュール７５０は、サブバンド分析を実施するとしてもよい。ファンの動作は、信号レベル、周波数およびノイズパターンをモニタすると共に、時間の関数としてモニタ対象パラメータの変化をモニタすることによって、改善し得る。
【０１１０】
ファン動作パラメータは自動的に調整されて、音響ノイズを低減するとしてもよい。このようにすることによって、ユーザの不快感を和らげるとしてもよい。ファンは、共振モード以外で動作し得る。さらに、ファンのノイズをリアルタイムでモニタすることによって、今後の故障の発生を予測するとしてもよい。過去のデータを分析することによってファンの経年劣化を推定およびモニタするとしてもよい。
【０１１１】
さらに、オーディオモニタリングに基づいて、比較的低コストで製品品質を異ならせるとしてもよい。例えば、このような方法を利用することによって、高品質ファンまたは低品質ファンをその他の中程度品質ファンから区別し得る。特に同一または同様の設計のファンについては、ノイズが小さいデバイスの方がノイズが大きいデバイスよりも信頼性が高い傾向にある。さらに、機械的構成要素をリアルタイムでモニタすることによって、今後の品質レベルを改善することができる。
【０１１２】
ＨＤＤシステムおよびＤＶＤシステムについて開示しているが、本開示はその他の回転式ストレージデバイス、磁気ストレージデバイスおよび／または光学ストレージデバイスにも適用される。
【０１１３】
上述したように構成要素の動作パラメータを変化させる構成に加えて、またはそのような構成に代えて、オーディオモニタモジュールは、当該構成要素がどのように動作しているかについての指標を提供する信号を生成するとしてもよい。一例に過ぎないが、構成要素が通常許容可能なレベルよりも大きいノイズを発生している場合には、オーディオモニタモジュールがホストデバイスに対して指標信号を生成するとしてもよい。一例に過ぎないが、ファンが発生するノイズが大き過ぎる場合、ＣＰＵはオペレーティングシステム（ＯＳ）にエラーメッセージを送信してＯＳおよび／またはユーザに事態を通知するとしてもよい。
【０１１４】
オーディオモニタモジュールは、ユーザが取り得る行動のリストを提供するとしてもよい。例えば、オーディオモニタモジュールは、複数の異なる選択肢からユーザに選択させるとしてもよい。選択肢には、低電力モード、限定処理モード等の制限モードで動作することを含むとしてもよい。ファンを有する実施例の場合、デバイスの温度が所定の温度値に到達すると、ユーザはセーフシャットダウンモードを選択するとしてもよい。
【０１１５】
当業者であれば、以上の説明に基づき、本開示の広義の教示が様々な形態によって実施し得ることに想到し得る。このため、本開示は具体的な例を挙げて説明してきたが、本願の添付図面、明細書および請求項から当業者にはほかの変形が明らかであるので、本開示の真の範囲はそれらの具体例に限定されるべきではない。
【図１】
2009545097.tif 000003
【図２】
2009545097.tif 000004
【図３Ａ】
2009545097.tif 000005
【図３Ｂ】
2009545097.tif 000006
【図４Ａ】
2009545097.tif 000007
【図４Ｂ】
2009545097.tif 000008
【図５Ａ】
2009545097.tif 000009
【図５Ｂ】
2009545097.tif 000010
【図６Ａ】
2009545097.tif 000011
【図６Ｂ】
2009545097.tif 000012
【図７Ａ】
2009545097.tif 000013
【図７Ｂ】
2009545097.tif 000014
【図８】
2009545097.tif 000015
【図９】
2009545097.tif 000016
【図１０】
2009545097.tif 000017
【図１１】
2009545097.tif 000018
【図１２】
2009545097.tif 000019
【図１３】
2009545097.tif 000020
【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
回転式データストレージデバイス用の制御システムであって、
ドライブ用プリント配線基板（ＰＣＢ）と、
前記ドライブ用ＰＣＢに配設されているドライブモジュールであって、データの処理、データの格納および前記回転式データストレージデバイスの動作の制御のうち少なくとも１つを実行するドライブモジュールと、
前記ドライブモジュールと通信するオーディオモニタモジュールであって、前記回転式データストレージデバイスが動作中に発生させるノイズに応じて決まるオーディオ信号を分析するオーディオモニタモジュールと
を備える制御システム。
【請求項２】
前記ドライブモジュールは、磁気ストレージ制御モジュールおよび光学ストレージ制御モジュールのうち１つを有する
請求項１に記載の制御システム。
【請求項３】
前記ドライブモジュールは、読出／書込チャネルモジュールを有する
請求項１に記載の制御システム。
【請求項４】
前記ドライブモジュールは、プロセッサを有する
請求項１に記載の制御システム。
【請求項５】
前記ドライブモジュールは、スピンドル／ボイスコイルモータドライブモジュールおよびスピンドル／フィードモータモジュールのうち１つを有する
請求項１に記載の制御システム。
【請求項６】
請求項１に記載の制御システムと、
前記回転式データストレージデバイスと
を備えるデータストレージデバイス。
【請求項７】
前記オーディオ信号を生成するマイクロフォン
をさらに備える、請求項６に記載のデータストレージデバイス。
【請求項８】
前記回転式データストレージデバイスは、第１の構成要素を有し、
前記オーディオモニタモジュールは、前記オーディオ信号に基づいて、前記第１の構成要素の動作パラメータを選択的に調整する
請求項６に記載のデータストレージデバイス。
【請求項９】
前記第１の構成要素は、回転式ストレージ媒体の回転および前記回転式ストレージ媒体からのデータ読出しのうち１つを実行する
請求項８に記載のデータストレージデバイス。
【請求項１０】
前記回転式データストレージデバイスは、磁気ストレージデバイスおよび光学ストレージデバイスのうち１つを有する
請求項６に記載のデータストレージデバイス。
【請求項１１】
前記オーディオモニタモジュールは、前記オーディオ信号に基づいて、前記第１の構成要素の故障を選択的に診断する
請求項８に記載のデータストレージデバイス。
【請求項１２】
前記オーディオモニタモジュールは、前記オーディオ信号に基づいて、前記第１の構成要素の経年劣化を選択的に推定する
請求項８に記載のデータストレージデバイス。
【請求項１３】
前記オーディオモニタモジュールは、前記オーディオ信号に基づいて、前記第１の構成要素の今後の構成要素の故障を選択的に予測する
請求項８に記載のデータストレージデバイス。
【請求項１４】
前記オーディオモニタモジュールは、前記オーディオ信号に基づいて、前記データストレージデバイスの製品品質を選択的に推定する
請求項８に記載のデータストレージデバイス。
【請求項１５】
前記オーディオモニタモジュールは、前記オーディオ信号と格納されている故障プロファイルとを選択的に相関させて、前記第１の構成要素の故障を予測する
請求項８に記載のデータストレージデバイス。
【請求項１６】
前記オーディオ信号をデジタルオーディオ信号に変換するアナログ／デジタルコンバータ
をさらに備える、請求項６に記載のデータストレージデバイス。
【請求項１７】
前記回転式データストレージデバイスはハードディスクドライブを有し、前記ハードディスクドライブは、
ハードディスクドライブアセンブリ（ＨＤＤＡ）と、
ハードディスクドライブ用プリント配線基板（ＨＤ  ＰＣＢ）と
を含み、
前記マイクロフォンは、前記ＨＤＤＡおよび前記ＨＤ  ＰＣＢのうち一方に配設されている
請求項７に記載のデータストレージデバイス。
【請求項１８】
前記ハードディスクドライブは、
ハードディスクドライブモジュールと、
プロセッサと、
スピンドル／ボイスコイルモータ（ＶＣＭ）ドライバモジュールと、
読出／書込チャネルモジュールと
を含む
請求項１７に記載のデータストレージデバイス。
【請求項１９】
前記オーディオモニタモジュールは、システムオンチップにおいて、前記ハードディスクドライブモジュール、前記プロセッサ、前記スピンドル／ＶＣＭドライバモジュール、および前記読出／書込チャネルモジュールのうち少なくとも１つと集積化されている
請求項１８に記載のデータストレージデバイス。
【請求項２０】
前記回転式データストレージデバイスは、デジタルバーサティルディスク（ＤＶＤ）を有し、前記ＤＶＤは、
デジタルバーサティルディスクアセンブリ（ＤＶＤＡ）と、
デジタルバーサティルディスク用プリント配線基板（ＤＶＤ  ＰＣＢ）と
を含み、
前記マイクロフォンは、前記ＤＶＤＡおよび前記ＤＶＤ  ＰＣＢのうち一方に配設されている
請求項７に記載のデータストレージデバイス。
【国際調査報告】
2009545097.tif 000021
2009545097.tif 000022
2009545097.tif 000023
2009545097.tif 000024
2009545097.tif 000025